(57)【要約】【課題】ピンキングによる被害を新規な手段により防止できるものとしたドア埋設形錠前を提供する。【解決手段】開錠又は施錠するときにのみ一時的にキー挿入穴５ａにキー１３を挿入されるドア埋設形錠前１０１において、前記キー挿入穴５ａの内方にキー１３などの物体が特定時間以上に亘って挿入されたときに該他物の存在を検知するための存在検知手段１８を設ける。【選択図】図１
2005163321.tif 000002
【特許請求の範囲】
【請求項１】
開錠又は施錠するときにのみ一時的にキー挿入穴にキーを挿入されるドア埋設形錠前において、前記キー挿入穴の内方に他物が特定時間以上に亘って挿入されたときに該他物の存在を検知するための存在検知手段を設けたことを特徴とするドア埋設形錠前。
【請求項２】
前記存在検知手段が、前記キー挿入穴に摺動変位可能に挿設された摺動棒部材と、前記キー挿入穴の奥部に設けられた電気接点とを備えており、キー挿入穴に他物が挿入されないときは前記摺動棒部材がスプリング力で特定位置に保持されて前記電気接点が断状態に保持され、一方、キー挿入穴に他物が特定深さ以上に挿入されたときは前記摺動棒部材がスプリング力に抗して前記他物に押し変位されて前記電気接点が続状態に保持されるように作動することを特徴とする請求項１記載のドア埋設形錠前。
【請求項３】
前記キー存在検出手段が前記他物の存在を検出したことに関連して警報を発するものとした警報装置を付属させたことを特徴とする請求項１又は２記載のドア埋設形錠前。
【請求項４】
前記キー存在検出手段が前記他物の存在を検出したことに関連して非常情報を特定の者の受信機に発信するための非常情報発信手段を付属させたことを特徴とする請求項１、２又は３記載のドア埋設形錠前。
【発明の詳細な説明】
【技術分野】
【０００１】
本発明は、ピッキングによる被害を防止できるようにしたドア埋設形錠前に関する。
【背景技術】
【０００２】
近時、ピッキングによる被害が頻発している。ここに、ピッキングとは、針金状の金具をドア錠のキー挿入穴に挿し込んで開錠し空き巣に入ることをいう。
このピッキングを防止するための技術は種々案出されており、例えば特許文献１に示すように、ドア錠のキー挿入穴を金属製のカバーで覆った状態となすものなどが存在している。
【０００３】
【特許文献１】特開２００２−３４９１０４号公報
【発明の開示】
【発明が解決しようとする課題】
【０００４】
本発明は、上記したピンキングによる被害を新規な手段により防止できるものとしたドア埋設形錠前を提供することを目的とする。
【課題を解決するための手段】
【０００５】
上記目的を達成するため、本発明は、請求項１に記載したように、開錠又は施錠するときにのみ一時的にキー挿入穴にキーを挿入されるドア埋設形錠前において、前記キー挿入穴の内方にキーなどの物体が特定時間以上に亘って挿入されたときに該他物の存在を検知するための存在検知手段を設けたものである。
【０００６】
この発明においては、キー挿入穴にピッキングのための金具が特定時間（例えば２秒間）以上挿し込まれると、この物体は存在検知手段により検出されるものとなる。またキーの所有者による開錠は、キーをキー挿入穴に挿し込んだ後２秒間以内で行われるのが通常であるため、特別な事情のある場合を除き、前記存在検知手段に検知されることはない。
【０００７】
上記発明は次のように具体化するのがよい。
即ち、請求項２に記載したように、前記存在検知手段が、前記キー挿入穴に摺動変位可能に挿設された摺動棒部材と、前記キー挿入穴の奥部に設けられた電気接点とを備えており、キー挿入穴に他物が挿入されないときは前記摺動棒部材がスプリング力で特定位置に保持されて前記電気接点が断状態に保持され、一方、キー挿入穴に他物が特定深さ以上に挿入されたときは前記摺動棒部材がスプリング力に抗して前記他物に押し変位されて前記電気接点が続状態に保持されるように作動する構成となす。
【０００８】
そして、請求項３に記載したように、前記存在検出手段が前記他物の存在を検出したことに関連して警報を発するものとした警報装置を付属させる。
【０００９】
さらに好ましくは、請求項４に記載したように、前記存在検出手段が前記他物の存在を検出したことに関連して非常情報を特定の者の受信機に発信するものとした非常情報発信手段を付属させる。
【発明の効果】
【００１０】
上記した本発明によれば次のような効果が得られる。
即ち、請求項１記載のものによれば、物体がキー挿入穴内に特定時間（例えば２秒間）以上に亘って存在することが検知されるため、たとえ錠前に振動が付与されなくても、ピッキングを検出することが可能となるものである。またキー挿入穴をカバー部材で覆うような面倒な操作を行わなくてもピッキングを防止することができるようになる。
【００１１】
請求項２記載のものによれば、安価な構造により、請求項１記載の発明による効果を得ることができる。
請求項３記載のものによれば、ピッキングの行為により発せられる警報で、ピッキング行為を周囲のものに知らせることができると共にピッキング者を追い払うことができる。
請求項４記載のものによれば、ドア錠から離れた特定者にピッキングの発生を知らせることができ、特定者がピッキング阻止の対策を講じることを可能となすものである。
【発明を実施するための最良の形態】
【００１２】
図は本発明に係るドア埋設形錠前をドアに装着した状態を示しており、図中、１００はドア枠にヒンジを介して縦軸回りの揺動開閉自在に装着されたドアであり、１０１はドア１００の幅方向の自由端側端部に装設されたドア埋設形錠前である。
【００１３】
ドア埋設形錠前１０１は、屋外側ノブ１、屋内側ノブ２、ドア１００の肉厚部ｔに埋設された錠前ケース３を備えている。
屋外側ノブ１の中心部には外筒４と内筒５からなるシリンダ６が横向きに設けてあり、内筒５には横長のキー挿入穴５ａが形成されている。そして、外筒４と内筒５とに跨る個所には、キー挿入穴５ａにキーが挿入されていないときにこれら外筒４と内筒５の相対回転を規制し、一方、キー挿入穴５ａにキー６の挿入部６ａが挿入されているときにはこれら外筒４と内筒５との相対回転を許容するものとしたタンブラー機構７が形成されている。
【００１４】
屋内側ノブ２の中心部には楕円形の摘み部８ａを有するサムターン８が横向きの回転操作可能に装設されており、また錠前ケース３には四角棒状のラッチボルト９と、該ラッチボルト９の外側面及び上下面を覆うように配置されたコ字形棒状のデッドボルト１０とがそれぞれ独立して図中の紙面と直角の方向へ摺動変位するように装設されている。
【００１５】
この際、屋外側ノブ１、屋内側ノブ２及びラッチボルト９は第１連動機構１１を介して結合されており、屋外側ノブ１又は屋内側ノブ２を回転操作することでラッチボルト９が図中の紙面と直角の方向へ出入り作動すると共に、常に、ラッチボルト９が図示しないスプリングで錠前ケース３から突出する側へ向けて付勢され、ドア枠に対しドア１００を閉めると、ラッチボルト９がドア枠の嵌合穴に前記スプリングの付勢力で嵌合するものとなされている。また内筒５、サムターン８及びデッドボルト１０は第２連動機構１２を介して結合されており、キー１３の挿入部１３ａをキー挿入穴５ａに挿入して内筒５を回転させることにより或いは、摘み部８ａを持ってサムターン８を回転操作することにより、ラッチボルト９が図中の紙面と直角の方向へ出入り作動し、出位置と入位置のそれぞれに安定的に保持されるものとなされている。
【００１６】
１４はドア１００の外面側にネジ固定された固定板、１５は該固定板１４に保持された円錐座であり、これら固定板１４及び円錐座１５は屋外側ノブ１を回転可能に支持するものとなされている。そして、１６はドア１００の内面側にネジ固定された固定板、１７は該固定板１６に保持される円錐座であり、これら固定板１６及び円錐座１７は屋内側ノブ２を回転可能に支持するものとなされている。以上の構成は公知の錠前と実質的に変わりないものである。
【００１７】
次に本発明の特徴的構成について説明する。
屋外側ノブ１、屋内側ノブ２、第１連動機構１１及び第２連動機構１２の内部には、キー挿入穴５ａの内方に他物が特定時間以上に亘って挿入されたときに該他物の存在を検知するための存在検知手段１８が設けてある。
【００１８】
該存在検知手段１８は、屋外側ノブ１から屋内側ノブ２までに至る部分の中心個所に摺動変位自在に装設された細長状摺動部材１９と、該細長状摺動部材１９が左右方向ｆ１へ摺動変位されることに関連して断続される電気接点２０とからなっている。
【００１９】
屋内側ノブ２の内方には細長状摺動部材１９及び電気接点２０に関連して図示しないスプリングが設けられており、該スプリングは細長状摺動部材１９を図中の右方向へ付勢すると共に電気接点２０を断状態に保持するものとなされている。
【００２０】
電気接点２０の各端子からはリード線２１、２２が外方へ向けて延出されていて、屋内の適所に設けられる制御装置２３に接続されている。該制御装置２３は警報装置及び非常情報発信手段を組み込まれていて、電池などの電源２４から電力を供給されると共に第１タイマー２５、第２タイマー２６、警報器２７、発信部２８及びリセットスイッチ２９などを備えたものとなされている。
【００２１】
この際、第１タイマー２５は、任意に設定された時間（例えば２秒間）の経過するまで電気接点２０の続状態が継続したときに、警報装置や非常情報発信手段を作動状態にして該状態を保持するものとなされており、第２タイマー２６は電気接点２０が断状態となったときに時間のカウントを開始して任意に設定された時間（例えば１０分）が経過したときに警報装置や非常情報発信手段の作動状態を停止させるものとなされている。そして、リセットスイッチ２９は電気接点２０の断状態の下で入り操作されることにより警報装置及び非常情報発信手段の作動状態を瞬時に停止させるものとなされている。
【００２２】
次に上記した実施例品の使用例について説明する。
施錠又は開錠のときは、キー挿入穴５ａにキー１３を挿入するのであり、これにより細長状摺動部材１９がキー１３の挿入部１３ａの先端で図示しないスプリングの弾力に抗して押され、細長状摺動部材１９は左方向へ変位され、電気接点２０は続作動される。次にキー１３を施錠又は開錠側へ回転させるのであり、これにより内筒５やサムターン８などが回転し、デッドボルト１０はドア枠の嵌合穴に嵌合し施錠又は開錠状態となる。この後、キー１３をキー挿入穴５ａから抜き出すのであり、これにより細長状摺動部材１９は図示しないスプリングの弾力で元位置に移動され電気接点２０は断状態に復帰される。
【００２３】
このようなキー１３による施錠又は開錠の操作においては、キー挿入穴５ａに対するキー１３の挿入抜出の処理は例えば２秒間以内程度で行われるのであり、したがって、電気接点２０の続状態は第１タイマー２５の設定時間（例えば２秒）以内となり、警報装置や非常情報発信手段は警報を発するものとならず、また非常情報発信手段は非常情報を発信するものとならない。
【００２４】
一方、ピッキングによる開錠操作のときは、細長状の金具をキー挿入穴５ａに挿入する時間が一般には２秒間を超えるのであり、したがって、細長状摺動部材１９は前記金具で２秒間以上に亘って押され続けて、電気接点２０が２秒間以上に亘って続状態を保持されるようになる。これにより第１タイマー２５はこれの設定時間が経過した後に警報装置及び非常情報発信手段を作動状態となし、警報器２７は警報を発し、また非常情報発信手段は発信部２８から非常情報を発信する。
【００２５】
そして、警報器２７の警報はピッキング行為を警報器２７周辺の者に知らせるものとなって、ピッキング行為者に脅威を与えてこれを追い払うものとなり、また発信部２８からの発信は遠隔の受信器を作動させ発信場所から離れている者にピッキング行為の発生を知らせるものとなる。
【００２６】
上記した警報装置及び非常情報発信手段の作動状態は、電気接点２０の断続の如何に拘わらず、第２タイマー２６の設定時間が経過するまで継続され、また該設定時間の経過した後では、電気接点２０が断状態であることを条件として停止される。したがって、電源２４からの電力供給が無くなるまで警報装置及び非常情報発信手段が作動し続けることはない。
【００２７】
また警報装置及び非常情報発信手段の作動状態が不要のものであるときは、電気接点２０の断状態の下でリセットスイッチ２９を入り操作するのであり、これにより該作動状態は電気接点２０が断状態であることを条件として任意時において瞬時に停止される。
【００２８】
上記実施例において、発信部２８と受信器との間の通信は無線式でも有線式でもよいのであり、また該通信は電話通信網を利用したものとなすことができる。また制御装置２３や警報器２７などは意図的な破壊を避けるため目立たない場所に設けるのがよい。
【図面の簡単な説明】
【００２９】
【図１】本発明に係るドア埋設形錠前をドアに装着した状態を示す図である。
【符号の説明】
【００３０】
１０１  ドア埋設形錠前
５ａ  キー挿入穴
１３  キー
１８  存在検知手段
１９  細長状摺動棒部材
２０  電気接点
２３  制御装置（警報装置、非常情報発信手段）
【図１】
2005163321.tif 000003